(57)【要約】  本発明は、遊戯者が変化に富んだ遊びをすることができるとともに、子供達の興味を引くことができる遊戯装置を提供する。遊戯装置１は、円板状に形成された床部材１０と、床部材１０上に配設された遊戯機構２０と、床部材１０と略同じ大きさ，形状に形成され、床部材１０の下方に配置された基台１１と、基台１１上に配設され、床部材１０の下面を支持してその上面を水平面に対し傾斜させる傾斜装置３０と、可撓性を有する部材からなり、床部材１０と基台１１との間の空間を閉塞するカバーシート１２と、床部材１０，基台１１及びカバーシート１２によって形成される閉塞空間Ｋ内に空気を供給するブロワ１３などを備えて構成される。遊戯者Ｙは、床部材１０が傾斜するときの感覚を楽しみつつ、遊戯機構２０での遊びを楽しむことができる。また、床部材１０及び遊戯機構２０の傾斜により、遊戯装置１の周りにいる子供達の興味を引くことができる。【特許請求の範囲】
【請求項１】
遊戯領域が上面に形成された床部材と、
前記床部材上の遊戯領域内に配設され、遊戯者に遊戯させるための構造物を有する遊戯機構と、
前記床部材を変位可能に支持する支持機構と、
前記床部材を駆動して変位せしめる駆動機構とを備えてなることを特徴とする遊戯装置。
【請求項２】
前記支持機構は、前記床部材を水平面に対して傾斜自在に支持するように構成され、
前記駆動機構は、前記床部材を傾斜させるように構成されてなることを特徴とする請求項１記載の遊戯装置。
【発明の詳細な説明】
【技術分野】
【０００１】
本発明は、遊園地や公園の他、デパートやスーパーマーケットなどのショッピング施設の遊戯コーナ等に設置して好適な遊戯装置に関する。
【背景技術】
【０００２】
従来、子供などの遊戯者が気軽に遊ぶことができる遊戯装置として、例えば、特開平１１−５７２２３号公報に開示された、いわゆるジャングルジムなどが知られている。ジャングルジムは、地面や固定された基台上などに、棒状の部材を格子状に組んで構成されるもので、子供などの遊戯者が、当該棒状部材を伝って横に移動したり、上り下りをして遊ぶようになっている。【０００３】
また、この他、遊戯装置として、いわゆるシーソー，滑り台及びブランコなども良く知られており、シーソーは、矩形且つ平板状の部材の両端部に遊戯者が座り、その長手方向中央部を支点にして当該両端部を上下動させて遊ぶものであり、滑り台は、傾斜して設けられた矩形且つ平板状の部材上面を遊戯者が滑り降りて遊ぶものであり、ブランコは、吊り下げられた矩形且つ平板状の部材上に遊戯者が乗り、当該部材を前後に揺り動かして遊ぶものである。【０００４】
【特許文献１】特開平１１−５７２２３号公報
【発明の開示】
【発明が解決しようとする課題】
【０００５】
ところが、上記従来の遊戯装置では、遊戯者は、上述のようにして遊ぶのであるが、当該遊戯装置における遊びが単調なものとなり易く、飽き易いという問題があった。また、ジャングルジムを始め、シーソー，滑り台及びブランコなどは、極めて一般的な遊戯装置であり、これらで遊び慣れた子供達に対し、当該遊戯装置でまた遊ぼうという気持ちにさせ難いという問題もある。【０００６】
本発明は、以上の実情に鑑みなされたものであって、遊戯者が変化に富んだ遊びをすることができるとともに、子供達の興味を引くことができる遊戯装置の提供をその目的とする。
【課題を解決するための手段】
【０００７】
上記目的を達成するための本発明は、
遊戯領域が上面に形成された床部材と、
前記床部材上の遊戯領域内に配設され、遊戯者に遊戯させるための構造物を有する遊戯機構と、
前記床部材を変位可能に支持する支持機構と、
前記床部材を駆動して変位せしめる駆動機構とを備えてなることを特徴とする遊戯装置に係る。【０００８】
この発明によれば、遊戯者は、駆動機構により床部材が駆動されて変位せしめられる中で、具体的には、例えば、床部材が水平面に対して傾斜したり、上下動したり、水平回転したり、水平移動する中で、遊戯機構を構成する構造物により各種の遊びをすることができるので、床部材が変位せしめられるときの感覚を楽しみつつ、当該遊びを楽しむことができる。尚、遊戯機構としては、例えば、ジャングルジム，シーソー，滑り台及びブランコなどの他、各種の遊戯具を挙げることができる。【０００９】
また、床部材及び遊戯機構の構造物が変位しているので、この床部材及び構造物の動きを見た、当該遊戯装置の周りにいる子供達に対し、当該遊戯装置で遊びたいという興味を持たせることができる。
【発明の効果】
【００１０】
斯くして、本発明に係る遊戯装置によれば、遊戯機構の構造物で遊ぶ遊戯者自身の動作と床部材の変位に伴う構造物自体の動作とが複合して、遊戯者は、従来にない、変化に富んだ遊びや感覚を楽しむことができる。また、この遊戯装置の周りにいる子供達の興味を引いてこれで遊ばせるようにすることもできる。
【図面の簡単な説明】
【００１１】
【図１】本発明の一実施形態に係る遊戯装置の概略構成を示した斜視図である。
【図２】図１に示した遊戯装置の一部の正断面図である。
【図３】本実施形態に係る傾斜装置などの概略構成を示した平面図である。
【図４】図３における矢示Ａ−Ａ方向の断面図である。
【図５】図３における矢示Ｂ−Ｂ方向の断面図である。
【図６】本発明の他の実施形態に係る遊戯機構の概略構成を示した斜視図である。
【図７】本発明の他の実施形態に係る遊戯機構の概略構成を示した斜視図である。
【図８】本発明の他の実施形態に係る傾斜装置などの概略構成を示した平面図である。
【図９】本発明の他の実施形態に係る昇降機構などの概略構成を一部ブロック図で示した正面図である。
【図１０】本発明の他の実施形態に係る昇降機構の配置例を示した平面図である。
【図１１】本発明の他の実施形態に係る昇降機構などの概略構成を一部ブロック図で示した正面図である。
【図１２】本発明の他の実施形態に係る遊戯装置の一部の概略構成を示した正断面図である。
【符号の説明】
【００１２】
１    遊戯装置
１０  床部材
１１  基台
１２  カバーシート
１３  ブロワ
２０  遊戯機構
２１  第１支柱
２２  第２支柱
２３  第１水平部材
２４  第２水平部材
２５  第１部材
２６  第２部材
２７  ぬいぐるみ
２８  球体
３０  傾斜装置
３１  フレーム
３２  支持機構
４５  第１昇降機構
５０  第２昇降機構
５５  制御装置
Ｋ    閉塞空間
Ｙ    遊戯者
【発明を実施するための最良の形態】
【００１３】
以下、本発明の具体的な実施形態について、添付図面に基づき説明する。図１は、本発明の一実施形態に係る遊戯装置の概略構成を示した斜視図であり、図２は、図１に示した遊戯装置の一部の正断面図である。【００１４】
図１及び図２に示すように、本例の遊戯装置１は、円板状に形成された床部材１０と、床部材１０上に配設された遊戯機構２０と、円板状に形成されて床部材１０と略同じ大きさに形成され、当該床部材１０の下方に配置された基台１１と、基台１１上に配設され、床部材１０の下面を支持して当該床部材１０上面を水平面に対し傾斜させる傾斜装置３０と、可撓性を有する部材からなり、床部材１０と基台１１との間の空間を閉塞するカバーシート１２と、床部材１０，基台１１及びカバーシート１２によって形成される閉塞空間Ｋ内に空気を供給するブロワ１３などを備えて構成される。【００１５】
前記床部材１０の上面は遊戯領域となっており、当該上面に乗った子供などの遊戯者Ｙが遊戯機構２０で遊ぶように構成されている。【００１６】
前記遊戯機構２０は、床部材１０の中心部上面に立設された第１支柱２１と、床部材１０の外周部上面に円周方向等間隔で立設され、高さがそれぞれ異なった４本の第２支柱２２と、第１支柱２１と各第２支柱２２の上部との間に水平に掛け渡された４本の第１水平部材２３と、高さ位置が一番低い第１水平部材２３の上方にこれと平行に配置されて、一端側が第１支柱２１の外周面に固設される第２水平部材２４と、床部材１０の中心部上面に第１支柱２１の下部を覆うように設けられた円柱状の第１部材２５と、床部材１０の半径方向中央部上面に円周方向等間隔で配設された角柱状の第２部材２６と、高さが一番低い第２支柱２２、及びこれと第１支柱２１を挟んで反対側の第２支柱２２の上端部に設けられた２つの動物のぬいぐるみ２７と、第１支柱２１の上端部、ぬいぐるみ２７が設けられていない第２支柱２２の上端部、及び第２水平部材２４の他端部に設けられた４つの球体２８などを備えている。【００１７】
前記第１支柱２１，第２支柱２２，第１水平部材２３及び第２水平部材２４は、金属製パイプと、金属製パイプの外周面に巻き付けられたウレタンスポンジなどの衝撃吸収部材と、衝撃吸収部材を被覆するシート部材などから構成され、前記第１部材２５及び第２部材２６や球体２８についても、同様に、円柱状や矩形状、球状に形成された内部部材と、内部部材の外面を覆うウレタンスポンジなどの衝撃吸収部材と、衝撃吸収部材を被覆するシート部材などから構成されている。これにより、遊戯者Ｙが怪我をするのを効果的に防止することができる。【００１８】
前記ブロワ１３は、カバーシート１２に適宜形成された開口部（図示せず）から閉塞空間Ｋ内に接続する供給部材１３ａを有しており、当該供給部材１３ａを介して閉塞空間Ｋ内に空気を供給し、当該閉塞空間Ｋ内の空気圧力を所定圧力まで高めるように構成される。【００１９】
前記カバーシート１２は、その上端部と下端部との間の長さが、床部材１０が傾斜したときにおける、床部材１０の傾斜上方側の端部と基台１１の端部との間の距離よりも長く形成され、即ち、ゆとりを持った状態で取付可能に形成され、傾斜装置３０を閉塞空間Ｋ内に収容した状態で、上端部が床部材１０の外周面に、下端部が基台１１の外周面にそれぞれ取り付けられている。【００２０】
斯くして、カバーシート１２は、ブロワ１３により閉塞空間Ｋ内の空気圧力が高められることで、床部材１０及び基台１１よりも外側に膨んだ状態となる。これにより、遊戯者Ｙや、当該遊戯装置１の周りにいる子供達が、床部材１０と基台１１との間の隙間に入ったり、手や足を入れたりするのを防止して、床部材１０が傾斜したときに、床部材１０と基台１１との間に挟まれて怪我をするのを効果的に防止することができる。また、遊戯者Ｙや、当該遊戯装置１の周りにいる子供達は、傾斜装置３０に触ることができないため、当該傾斜装置３０に触って怪我をする危険性も無い。【００２１】
前記傾斜装置３０は、図２乃至図５に示すように、基台１１上に配設され、床部材１０の載置，固定されたフレーム３１を支持する支持機構３２と、同じく基台１１上に支持機構３２を中心として９０°の角度位置にそれぞれ配設され、床部材１０の載置，固定されたフレーム３１を支持するとともに、その支持位置を上下方向に昇降させるように構成された第１昇降機構（駆動機構）４５及び第２昇降機構（駆動機構）５０と、第１昇降機構４５及び第２昇降機構５０の作動を制御する制御装置５５とから構成される。【００２２】
前記支持機構３２は、基台１１の中心部上面に適宜間隔を空けて立設された一対の支持ブラケット３３，３３と、支持ブラケット３３，３３間に配設される平面視十字形状をした連結板３４と、連結板３４の各片縁部上面にそれぞれに立設された２対のブラケット３５，３５，３８，３８と、フレーム３１を構成する中央部の部材４１，４２からそれぞれ下方に垂下するように設けられたブラケット３７，３７などから構成される。【００２３】
前記ブラケット３５，３５は、支持ブラケット３３，３３間に位置する連結板３４の各片上面に立設され、支持ブラケット３３，３３に螺着された支持軸３６，３６によって矢示Ｃ−Ｄ方向に揺動自在に支持されている。また、前記ブラケット３８，３８は、ブラケット３７，３７を挟むように連結板３４上に立設され、ブラケット３７，３７に螺着された支持軸３９，３９によって矢示Ｅ−Ｆ方向に揺動自在に支持されている。【００２４】
斯くして、フレーム３１及び床部材１０は、支持機構３２の矢示Ｃ−Ｄ方向及び矢示Ｅ−Ｆ方向への複合した揺動動作によって、その中心部を中心として水平面に対し任意の方向に傾斜可能に当該支持機構３２によって支持される。【００２５】
前記第１昇降機構４５は、ロータリエンコーダを備えたサーボモータ４６と、相互に連結された２本のクランクアーム４８，４９とからなり、クランクアーム４８の端部がサーボモータ４６の出力軸４７に連結され、クランクアーム４９の端部がフレーム３１を構成する部材の内、ブラケット３７，３７の配列方向と平行に設けられた部材４３に接続されている。そして、出力軸４７が回転すると、これによってクランクアーム４９が上下動し、かかるクランクアーム４９の上下動によって、フレーム３１（床部材１０）が矢示Ｃ−Ｄ方向に揺動する。【００２６】
前記第２昇降機構５０は、同じくロータリエンコーダを備えたサーボモータ５１と、相互に連結された２本のクランクアーム５３，５４とからなり、クランクアーム５３の端部がサーボモータ５１の出力軸５２に連結され、クランクアーム５４の端部がフレーム３１を構成する部材の内、支持ブラケット３３，３３の配列方向と平行に設けられた部材４４に接続されている。そして、出力軸５２が回転すると、これによってクランクアーム５４が上下動し、かかるクランクアーム５４の上下動によって、フレーム３１（床部材１０）が矢示Ｅ−Ｆ方向に揺動する。【００２７】
そして、前記制御装置５５は、各ロータリエンコーダから出力軸４７，５２の回転角度位置に係る検出信号を受信しつつサーボモータ４６，５１の作動を制御して、出力軸４７，５２の回転角度位置が所望の角度位置になるようにこれを制御する。これにより、フレーム３１を支持するクランクアーム４９，５４の上下方向における支持位置が制御される。【００２８】
以上のように構成された本例の遊戯装置１によれば、制御装置５５による制御の下、サーボモータ４６，５１が適宜駆動されることによりクランクアーム４９，５４が上下動し、ブラケット３３，３３，３５，３５，３７，３７，３８，３８相互間の連結構造に基づく複合した揺動動作によって、フレーム３１及び床部材１０が水平面に対し任意の方向に傾斜する。【００２９】
そして、このようにして床部材１０が傾斜する中で、子供などの遊戯者Ｙは、当該床部材１０が傾斜するときの感覚を楽しみつつ、第１水平部材２３や第２水平部材２４に直接上り下りしたり、第１部材２５や第２部材２６を踏台にして第１水平部材２３や第２水平部材２４に上り下りしたり、第１水平部材２３や第２水平部材２４に沿って横方向に移動するなど、遊戯機構２０において、ジャングルジムと同様にして遊びを楽しむことができる。【００３０】
また、床部材１０及び遊戯機構２０が傾斜装置３０によってあらゆる方向に傾斜せしめられており、この床部材１０及び遊戯機構２０の動きを見た、当該遊戯装置１の周りにいる子供達に対し、この遊戯装置１で遊びたいという興味を持たせることができる。【００３１】
更に、第２支柱２２の上端部にぬいぐるみ２７を設けているので、遊戯者Ｙに対し、ぬいぐるみ２７によって表された動物と一緒に遊んでいる気持ちにさせることができ、当該遊戯装置１における遊びをより楽しいものにすることができる。また、当該遊戯装置１の周りにいる子供達に対しては、動物がこの遊戯装置１で遊んでいるように思わせたり、動物と遊戯者Ｙが一緒になって遊んでいるように思わせることができるので、当該子供達の興味をより強く引くことができる。【００３２】
斯くして、本例の遊戯装置１によれば、遊戯機構２０で遊ぶ遊戯者Ｙ自身の動作と床部材１０の傾斜に伴う遊戯機構２０自体の動作とが複合して、遊戯者Ｙは、従来にない、変化に富んだ遊びや感覚を楽しむことができる。また、この遊戯装置１の周りにいる子供達の興味を強く引いてこれで遊ばせるようにすることもできる。【００３３】
以上、本発明の一実施形態について説明したが、本発明の採り得る具体的な態様は、何らこれに限定されるものではない。【００３４】
例えば、上記遊戯機構２０に代えて、図６や図７に示すような遊戯機構６０，６２を床部材１０上に設けるようにしても良い。図６に示した遊戯機構６０は、いわゆるジャングルジムと呼ばれるものであり、棒状の部材６１を格子状に組んで構成され、遊戯者Ｙは、当該棒状部材６１を伝って横に移動したり、上り下りをして遊ぶ。【００３５】
一方、図７に示した遊戯機構６２は、円柱状の支持台６３と、下端部が支持台６３によって水平回転自在に支持された円柱状の支柱６４と、円弧状に形成された部材からなり、支柱６４の円周方向等間隔で配置されて、一方の端部が支柱６４の上部外周面に接続し、他方の端部が支柱６４の下部外周面に接続した複数の第１フレーム６５と、各第１フレーム６５に水平面内で接続するように円形に形成され、高さ位置がそれぞれ異なって設けられる複数の第２フレーム６６と、各第１フレーム６５によって形成される球状の空間内の下側に配置され、支柱６４の下部外周面に固設された環状部材６７とを備えている。【００３６】
そして、この遊戯機構６２では、遊戯者Ｙ自身が、支柱６４，第１フレーム６５，第２フレーム６６及び環状部材６７からなる構造体を水平回転させた後、或いは、複数の遊戯者Ｙの内の一人が前記構造体を水平回転させた状態で、遊戯者Ｙは、環状部材６７上に乗ったり、第１フレーム６５や第２フレーム６６を伝って横に移動したり、上り下りをして遊び、更に、前記構造体が回転するときの感覚も楽しむことができる。【００３７】
このように遊戯機構６０，６２を構成しても、上記遊戯機構２０と同様に、遊戯者Ｙ自身の動作と遊戯機構６０，６２自体の動作とが複合して、遊戯者Ｙは、従来にない、変化に富んだ遊びや感覚を楽しむことができる。【００３８】
また、これらの遊戯機構６０，６２の他、シーソー，滑り台及びブランコといった各種の遊戯具から遊戯機構を構成するようにしても良い。また、床部材１０の形状も円形ではなく、矩形形状や長円形などとしても良い。【００３９】
また、上例では、床部材１０をあらゆる方向に傾斜させるように構成したが、これに限られるものではなく、図８に示すように、１つの水平軸回りにのみ傾斜，揺動させるようにしても良い。【００４０】
この場合、前記傾斜装置３０に代えて傾斜装置１５が設けられ、この傾斜装置１５は、基台１１の中心部上面に立設された第１支持部材１６と、フレーム３１の中心部下面に配設され、第１支持部材１６によって水平軸回りに（図８における矢示方向に）回転自在に支持される第２支持部材１７と、基台１１上に配設された、油圧シリンダや空圧シリンダなどからなる駆動シリンダ１８と、フレーム３１の下面に設けられ、駆動シリンダ１８の昇降ロッド１８ａ先端に係合する係合部材１９とからなる。【００４１】
この傾斜装置１５によれば、駆動シリンダ１８が作動して昇降ロッド１８ａが上下動し、これによって係合部材１９が上下動すると、フレーム３１、即ち、床部材１０が第１支持部材１６による第２支持部材１７の支持位置を中心にして矢示方向に傾斜，揺動する。【００４２】
また、上例では、床部材１０の駆動に、精密制御可能なサーボモータ４６，５１を用いたが、これに限られるものではなく、通常の電動モータや油圧モータを用いても何ら差し支えない。但し、複数のモータを用いて床部材１０の傾斜角や傾斜方向を高度に制御する場合には、サーボモータやステッピングモータを用いるのが好ましい。【００４３】
また、三つ以上の昇降機構を用いて床部材１０を支持する場合には、これを適宜配置することで、当該床部材１０を安定して支持することができ、当該昇降機構を床部材１０を支持する支持機構、及び床部材１０を駆動する駆動機構として機能させることができるので、上述した支持機構３２を特に設けるには及ばない。【００４４】
また、上述した昇降機構４５，５０は、床部材１０を昇降させることができる構成のものであれば、上記の構成に何ら限定されるものではない。例えば、その他の例として、図９及び図１１に示す構成を例示することができる。【００４５】
図９に示した昇降機構７０は、上下に並設された平板７１，７２と、平板７１，７２間に設けられた引張コイルバネ７４及びエアバッグ７３と、平板７１に形成された流路７１ａ及びこの流路７１ａに接続した配管７９を介してエアバッグ７３内に圧縮空気を供給するコンプレッサ７８と、配管７９に介在せしめられた切換弁７５及び流量調整弁７６と、切換弁７５の排気側に設けられた流量調整弁７７とからなる。【００４６】
尚、引張コイルバネ７４及びエアバッグ７３の下端部は共に平板７１の上面に係着され、その上端部は共に平板７２の下面に係着されている。また、切換弁７５及び流量調整弁７６，７７は制御装置８０によってその作動が制御される。また、エアバッグ７３は弾性部材を袋状に形成して構成される。また、この昇降機構７０は、図１０に示すように、例えば、その三つが床部材１０の下方に適宜間隔で配設されて、平板７２が床部材１０の下面に係着され、平板７１が基台１１の上面に係着される。【００４７】
この昇降機構７０によれば、切換弁７５が給気状態になっている場合、配管７９，流量調整弁７６，切換弁７５及び流路７１ａを介してコンプレッサ７８からエアバッグ７３に圧縮空気が供給され、これにより、当該エアバッグ７３が引張コイルバネ７４の収縮力に抗して膨張し、図９において二点鎖線で示すように、床部材１０を上方に押し上げる。即ち、その支持位置を上昇させる。【００４８】
そして、制御装置８０によって切換弁７５が排気状態に切り換えられると、コンプレッサ７７からの圧縮空気の供給が当該切換弁７５によって遮断される一方、エアバッグ７３は引張コイルバネ７４の収縮力によって平板７１，７２間で押圧され、その内部の気体が前記流路７１ａ，切換弁７５及び流量調整弁７７を介して外部に排気される。これにより、当該エアバッグ７３が収縮して、床部材１０が下方に移動する。即ち、その支持位置が降下する。【００４９】
尚、エアバッグ７３が膨張して床部材１０を上方に押し上げる速度、及びエアバッグ７３が収縮して床部材１０が下方に移動する速度は、制御装置８０による制御の下、それぞれ流量調整弁７６，７７によって制御される。【００５０】
斯くして、各昇降機構７０は、制御装置８０により、床部材１０を支持する上下方向の支持位置がそれぞれ制御されて当該支持位置が上下動し、これによって、床部材１０はその傾斜方向や傾斜角が変化する。【００５１】
また、図１１に示した昇降機構８５は、前記引張コイルバネ７４及び平板７１を省き、配管７９を直接エアバッグ７３に接続した点が前記昇降機構７０と異なり、他の構成は前記昇降機構７０と同じである。【００５２】
この昇降機構８５では、切換弁７５が給気状態になっている場合、上記昇降機構７０の場合と同様にして、配管７９，流量調整弁７６及び切換弁７５を介してコンプレッサ７８からエアバッグ７３に圧縮空気が供給され、これにより、当該エアバッグ７３が膨張して、図１１において二点鎖線で示すように、床部材１０を上方に押し上げる。【００５３】
そして、制御装置８０によって切換弁７５が排気状態に切り換えられると、コンプレッサ７７からの圧縮空気の供給が当該切換弁７５によって遮断される一方、エアバッグ７３は床部材１０の自重やその上の遊戯者Ｙの体重によって押圧され、その内部の気体が切換弁７５及び流量調整弁７７を介して外部に排気される。これにより、当該エアバッグ７３が収縮して、床部材１０が下方に移動する。【００５４】
また、上例では、床部材１０を水平面に対して傾斜させるように構成したが、この他、床部材１０を変位可能に適宜支持して、適宜駆動機構により、例えば、床部材１０全体を上下動させたり、床部材１０を水平回転させたり、床部材１０を水平移動させるなどして、遊戯者Ｙに床部材１０が変位したときの感覚を楽しませつつ、遊戯機構２０，６０，６２における遊びを楽しませるようにしても良い。【００５５】
また、カバーシート１２は、床部材１０の傾斜を許容することができるとともに、ブロワ１３によって高められた空気圧力によって外方に膨らむことができれば、伸縮性を備えた部材や、通気性を備えた部材から構成しても良い。【００５６】
また、前記ブロワ１３は、カバーシート１２の外部に設けるようにしたが、基台１１上の閉塞空間Ｋ内に設けるようにしても良く、このようにすれば、遊戯装置１の装置構成をコンパクトにすることができる。尚、この場合、カバーシート１２に適宜吸込口を形成して、この吸込口から外部の空気を吸い込むようにブロワ１３を構成する。【００５７】
また、上例では、床部材１０と基台１１との間の空間をカバーシート１２によって閉塞するように構成したが、これに限られるものではなく、図１２に示すように、環状に形成された閉塞部材９０の環内に、床部材１０，基台１１及び傾斜装置３０を収容し、この閉塞部材９０の内周面と床部材１０の外周面との間に形成された隙間をカバーシート９１により閉塞するように構成しても良い。【００５８】
前記カバーシート９１は、前記閉塞部材９０と同様、環状に形成され、外周部側の下面が閉塞部材９０の上面に取り付けられ、内周部側の端部が床部材１０の外周面に取り付けられており、床部材１０の傾斜を許容すべく、ある程度の弛みを持った状態に構成されている。【００５９】
尚、閉塞部材９０及びカバーシート９１の形状は、床部材１０の形状に応じて適宜変更され、例えば、床部材１０を矩形形状に形成した場合には、当該閉塞部材９０及びカバーシート９１は四角い枠状に形成すると良い。【００６０】
このようにしても、カバーシート１２のときと同様、遊戯者Ｙや、遊戯装置の周りにいる子供達が、床部材１０と基台１１との間の隙間に入ったり、手や足を入れるのを防止するとともに、傾斜装置３０に触るのを防止して、怪我をするのを効果的に防止することができる。また、遊戯者Ｙの手や足が、床部材１０と閉塞部材９０との間の隙間に入って怪我をするのも効果的に防止することができる。
【産業上の利用可能性】
【００６１】
以上のように、本発明は、遊園地や公園の他、デパートやスーパーマーケットなどのショッピング施設の遊戯コーナ等に設置する遊戯装置に好適に適用することができる。
【図１】
2006025108.tif 000002
【図２】
2006025108.tif 000003
【図３】
2006025108.tif 000004
【図４】
2006025108.tif 000005
【図５】
2006025108.tif 000006
【図６】
2006025108.tif 000007
【図７】
2006025108.tif 000008
【図８】
2006025108.tif 000009
【図９】
2006025108.tif 000010
【図１０】
2006025108.tif 000011
【図１１】
2006025108.tif 000012
【図１２】
2006025108.tif 000013
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
遊戯領域が上面に形成された床部材と、
前記床部材上の遊戯領域内に配設され、遊戯者に遊戯させるための構造物を有する遊戯機構と、
前記床部材を変位可能に支持する支持機構と、
前記床部材を駆動して変位せしめる駆動機構とを備えてなることを特徴とする遊戯装置。
【請求項２】
前記支持機構は、前記床部材を水平面に対して傾斜自在に支持するように構成され、
前記駆動機構は、前記床部材を傾斜させるように構成されてなることを特徴とする請求項１記載の遊戯装置。
【請求項３】
前記床部材の下方に配置された基台と、
可撓性を有するシート状の部材からなり、上端部が前記床部材に固着され、下端部が前記基台に固着されて、該床部材と基台との間の空間を閉塞するカバーシートと、
前記カバーシート，床部材及び基台によって形成される閉塞空間内に空気を供給して、該閉塞空間内の空気圧力を高めるブロワとを更に備えてなり、
前記支持機構及び駆動機構は、前記基台上に配設されて前記閉塞空間内に設けられ、
前記カバーシートは、前記床部材の変位を許容可能に構成されるとともに、前記閉塞空間内の空気圧力が高められることによって外方に膨らむように構成されてなることを特徴とする請求項１又は２記載の遊戯装置。
【手続補正２】
【補正対象書類名】明細書
【補正対象項目名】全文
【補正方法】変更
【補正の内容】
【発明の詳細な説明】
【技術分野】
【０００１】
本発明は、遊園地や公園の他、デパートやスーパーマーケットなどのショッピング施設の遊戯コーナ等に設置して好適な遊戯装置に関する。
【背景技術】
【０００２】
従来、子供などの遊戯者が気軽に遊ぶことができる遊戯装置として、例えば、特開平１１−５７２２３号公報に開示された、いわゆるジャングルジムなどが知られている。ジャングルジムは、地面や固定された基台上などに、棒状の部材を格子状に組んで構成されるもので、子供などの遊戯者が、当該棒状部材を伝って横に移動したり、上り下りをして遊ぶようになっている。
【０００３】
また、この他、遊戯装置として、いわゆるシーソー，滑り台及びブランコなども良く知られており、シーソーは、矩形且つ平板状の部材の両端部に遊戯者が座り、その長手方向中央部を支点にして当該両端部を上下動させて遊ぶものであり、滑り台は、傾斜して設けられた矩形且つ平板状の部材上面を遊戯者が滑り降りて遊ぶものであり、ブランコは、吊り下げられた矩形且つ平板状の部材上に遊戯者が乗り、当該部材を前後に揺り動かして遊ぶものである。
【０００４】
【特許文献１】特開平１１−５７２２３号公報
【発明の開示】
【発明が解決しようとする課題】
【０００５】
ところが、上記従来の遊戯装置では、遊戯者は、上述のようにして遊ぶのであるが、当該遊戯装置における遊びが単調なものとなり易く、飽き易いという問題があった。また、ジャングルジムを始め、シーソー，滑り台及びブランコなどは、極めて一般的な遊戯装置であり、これらで遊び慣れた子供達に対し、当該遊戯装置でまた遊ぼうという気持ちにさせ難いという問題もある。
【０００６】
本発明は、以上の実情に鑑みなされたものであって、遊戯者が変化に富んだ遊びをすることができるとともに、子供達の興味を引くことができる遊戯装置の提供をその目的とする。
【課題を解決するための手段】
【０００７】
上記目的を達成するための本発明は、
遊戯領域が上面に形成された床部材と、
前記床部材上の遊戯領域内に配設され、遊戯者に遊戯させるための構造物を有する遊戯機構と、
前記床部材を変位可能に支持する支持機構と、
前記床部材を駆動して変位せしめる駆動機構とを備えてなることを特徴とする遊戯装置に係る。
【０００８】
この発明によれば、遊戯者は、駆動機構により床部材が駆動されて変位せしめられる中で、具体的には、例えば、床部材が水平面に対して傾斜したり、上下動したり、水平回転したり、水平移動する中で、遊戯機構を構成する構造物により各種の遊びをすることができるので、床部材が変位せしめられるときの感覚を楽しみつつ、当該遊びを楽しむことができる。尚、遊戯機構としては、例えば、ジャングルジム，シーソー，滑り台及びブランコなどの他、各種の遊戯具を挙げることができる。
【０００９】
また、床部材及び遊戯機構の構造物が変位しているので、この床部材及び構造物の動きを見た、当該遊戯装置の周りにいる子供達に対し、当該遊戯装置で遊びたいという興味を持たせることができる。
【００１０】
尚、前記遊戯装置は、前記床部材の下方に配置された基台と、可撓性を有するシート状の部材からなり、上端部が前記床部材に固着され、下端部が前記基台に固着されて、該床部材と基台との間の空間を閉塞するカバーシートと、前記カバーシート，床部材及び基台によって形成される閉塞空間内に空気を供給して、該閉塞空間内の空気圧力を高めるブロワとを更に備え、前記支持機構及び駆動機構は、前記基台上に配設されて前記閉塞空間内に設けられ、前記カバーシートは、前記床部材の変位を許容可能に構成されるとともに、前記閉塞空間内の空気圧力が高められることによって外方に膨らむように構成されていても良い。
【００１１】
このようにすれば、ブロワから閉塞空間内に空気が供給され、当該閉塞空間内部の空気圧力が高められると、カバーシートが外方に膨らんだ状態となることから、遊戯者や当該遊戯装置の周りにいる子供達が、床部材と基台との間の隙間に入ったり、手や足を入れたりするのを防止し、床部材が変位したときに、床部材と基台との間に挟まれて怪我をするのを防止することができる。また、遊戯者や当該遊戯装置の周りにいる子供達は、カバーシートにより支持機構や駆動機構に触ることができないため、当該支持機構や駆動機構に触って怪我をするのを防止することもできる。
【発明の効果】
【００１２】
斯くして、本発明に係る遊戯装置によれば、遊戯機構の構造物で遊ぶ遊戯者自身の動作と床部材の変位に伴う構造物自体の動作とが複合して、遊戯者は、従来にない、変化に富んだ遊びや感覚を楽しむことができる。また、この遊戯装置の周りにいる子供達の興味を引いてこれで遊ばせるようにすることもできる。また、カバーシートにより遊戯者や当該遊戯装置の周りにいる子供達が怪我するのを防止することができる。
【発明を実施するための最良の形態】
【００１３】
以下、本発明の具体的な実施形態について、添付図面に基づき説明する。図１は、本発明の一実施形態に係る遊戯装置の概略構成を示した斜視図であり、図２は、図１に示した遊戯装置の一部の正断面図である。
【００１４】
図１及び図２に示すように、本例の遊戯装置１は、円板状に形成された床部材１０と、床部材１０上に配設された遊戯機構２０と、円板状に形成されて床部材１０と略同じ大きさに形成され、当該床部材１０の下方に配置された基台１１と、基台１１上に配設され、床部材１０の下面を支持して当該床部材１０上面を水平面に対し傾斜させる傾斜装置３０と、可撓性を有する部材からなり、床部材１０と基台１１との間の空間を閉塞するカバーシート１２と、床部材１０，基台１１及びカバーシート１２によって形成される閉塞空間Ｋ内に空気を供給するブロワ１３などを備えて構成される。
【００１５】
前記床部材１０の上面は遊戯領域となっており、当該上面に乗った子供などの遊戯者Ｙが遊戯機構２０で遊ぶように構成されている。
【００１６】
前記遊戯機構２０は、床部材１０の中心部上面に立設された第１支柱２１と、床部材１０の外周部上面に円周方向等間隔で立設され、高さがそれぞれ異なった４本の第２支柱２２と、第１支柱２１と各第２支柱２２の上部との間に水平に掛け渡された４本の第１水平部材２３と、高さ位置が一番低い第１水平部材２３の上方にこれと平行に配置されて、一端側が第１支柱２１の外周面に固設される第２水平部材２４と、床部材１０の中心部上面に第１支柱２１の下部を覆うように設けられた円柱状の第１部材２５と、床部材１０の半径方向中央部上面に円周方向等間隔で配設された角柱状の第２部材２６と、高さが一番低い第２支柱２２、及びこれと第１支柱２１を挟んで反対側の第２支柱２２の上端部に設けられた２つの動物のぬいぐるみ２７と、第１支柱２１の上端部、ぬいぐるみ２７が設けられていない第２支柱２２の上端部、及び第２水平部材２４の他端部に設けられた４つの球体２８などを備えている。
【００１７】
前記第１支柱２１，第２支柱２２，第１水平部材２３及び第２水平部材２４は、金属製パイプと、金属製パイプの外周面に巻き付けられたウレタンスポンジなどの衝撃吸収部材と、衝撃吸収部材を被覆するシート部材などから構成され、前記第１部材２５及び第２部材２６や球体２８についても、同様に、円柱状や矩形状、球状に形成された内部部材と、内部部材の外面を覆うウレタンスポンジなどの衝撃吸収部材と、衝撃吸収部材を被覆するシート部材などから構成されている。これにより、遊戯者Ｙが怪我をするのを効果的に防止することができる。
【００１８】
前記ブロワ１３は、カバーシート１２に適宜形成された開口部（図示せず）から閉塞空間Ｋ内に接続する供給部材１３ａを有しており、当該供給部材１３ａを介して閉塞空間Ｋ内に空気を供給し、当該閉塞空間Ｋ内の空気圧力を所定圧力まで高めるように構成される。
【００１９】
前記カバーシート１２は、その上端部と下端部との間の長さが、床部材１０が傾斜したときにおける、床部材１０の傾斜上方側の端部と基台１１の端部との間の距離よりも長く形成され、即ち、ゆとりを持った状態で取付可能に形成され、傾斜装置３０を閉塞空間Ｋ内に収容した状態で、上端部が床部材１０の外周面に、下端部が基台１１の外周面にそれぞれ取り付けられている。
【００２０】
斯くして、カバーシート１２は、ブロワ１３により閉塞空間Ｋ内の空気圧力が高められることで、床部材１０及び基台１１よりも外側に膨んだ状態となる。これにより、遊戯者Ｙや、当該遊戯装置１の周りにいる子供達が、床部材１０と基台１１との間の隙間に入ったり、手や足を入れたりするのを防止して、床部材１０が傾斜したときに、床部材１０と基台１１との間に挟まれて怪我をするのを効果的に防止することができる。また、遊戯者Ｙや、当該遊戯装置１の周りにいる子供達は、傾斜装置３０に触ることができないため、当該傾斜装置３０に触って怪我をする危険性も無い。
【００２１】
前記傾斜装置３０は、図２乃至図５に示すように、基台１１上に配設され、床部材１０の載置，固定されたフレーム３１を支持する支持機構３２と、同じく基台１１上に支持機構３２を中心として９０°の角度位置にそれぞれ配設され、床部材１０の載置，固定されたフレーム３１を支持するとともに、その支持位置を上下方向に昇降させるように構成された第１昇降機構（駆動機構）４５及び第２昇降機構（駆動機構）５０と、第１昇降機構４５及び第２昇降機構５０の作動を制御する制御装置５５とから構成される。
【００２２】
前記支持機構３２は、基台１１の中心部上面に適宜間隔を空けて立設された一対の支持ブラケット３３，３３と、支持ブラケット３３，３３間に配設される平面視十字形状をした連結板３４と、連結板３４の各片縁部上面にそれぞれに立設された２対のブラケット３５，３５，３８，３８と、フレーム３１を構成する中央部の部材４１，４２からそれぞれ下方に垂下するように設けられたブラケット３７，３７などから構成される。
【００２３】
前記ブラケット３５，３５は、支持ブラケット３３，３３間に位置する連結板３４の各片上面に立設され、支持ブラケット３３，３３に螺着された支持軸３６，３６によって矢示Ｃ−Ｄ方向に揺動自在に支持されている。また、前記ブラケット３８，３８は、ブラケット３７，３７を挟むように連結板３４上に立設され、ブラケット３７，３７に螺着された支持軸３９，３９によって矢示Ｅ−Ｆ方向に揺動自在に支持されている。
【００２４】
斯くして、フレーム３１及び床部材１０は、支持機構３２の矢示Ｃ−Ｄ方向及び矢示Ｅ−Ｆ方向への複合した揺動動作によって、その中心部を中心として水平面に対し任意の方向に傾斜可能に当該支持機構３２によって支持される。
【００２５】
前記第１昇降機構４５は、ロータリエンコーダを備えたサーボモータ４６と、相互に連結された２本のクランクアーム４８，４９とからなり、クランクアーム４８の端部がサーボモータ４６の出力軸４７に連結され、クランクアーム４９の端部がフレーム３１を構成する部材の内、ブラケット３７，３７の配列方向と平行に設けられた部材４３に接続されている。そして、出力軸４７が回転すると、これによってクランクアーム４９が上下動し、かかるクランクアーム４９の上下動によって、フレーム３１（床部材１０）が矢示Ｃ−Ｄ方向に揺動する。
【００２６】
前記第２昇降機構５０は、同じくロータリエンコーダを備えたサーボモータ５１と、相互に連結された２本のクランクアーム５３，５４とからなり、クランクアーム５３の端部がサーボモータ５１の出力軸５２に連結され、クランクアーム５４の端部がフレーム３１を構成する部材の内、支持ブラケット３３，３３の配列方向と平行に設けられた部材４４に接続されている。そして、出力軸５２が回転すると、これによってクランクアーム５４が上下動し、かかるクランクアーム５４の上下動によって、フレーム３１（床部材１０）が矢示Ｅ−Ｆ方向に揺動する。
【００２７】
そして、前記制御装置５５は、各ロータリエンコーダから出力軸４７，５２の回転角度位置に係る検出信号を受信しつつサーボモータ４６，５１の作動を制御して、出力軸４７，５２の回転角度位置が所望の角度位置になるようにこれを制御する。これにより、フレーム３１を支持するクランクアーム４９，５４の上下方向における支持位置が制御される。
【００２８】
以上のように構成された本例の遊戯装置１によれば、制御装置５５による制御の下、サーボモータ４６，５１が適宜駆動されることによりクランクアーム４９，５４が上下動し、ブラケット３３，３３，３５，３５，３７，３７，３８，３８相互間の連結構造に基づく複合した揺動動作によって、フレーム３１及び床部材１０が水平面に対し任意の方向に傾斜する。
【００２９】
そして、このようにして床部材１０が傾斜する中で、子供などの遊戯者Ｙは、当該床部材１０が傾斜するときの感覚を楽しみつつ、第１水平部材２３や第２水平部材２４に直接上り下りしたり、第１部材２５や第２部材２６を踏台にして第１水平部材２３や第２水平部材２４に上り下りしたり、第１水平部材２３や第２水平部材２４に沿って横方向に移動するなど、遊戯機構２０において、ジャングルジムと同様にして遊びを楽しむことができる。
【００３０】
また、床部材１０及び遊戯機構２０が傾斜装置３０によってあらゆる方向に傾斜せしめられており、この床部材１０及び遊戯機構２０の動きを見た、当該遊戯装置１の周りにいる子供達に対し、この遊戯装置１で遊びたいという興味を持たせることができる。
【００３１】
更に、第２支柱２２の上端部にぬいぐるみ２７を設けているので、遊戯者Ｙに対し、ぬいぐるみ２７によって表された動物と一緒に遊んでいる気持ちにさせることができ、当該遊戯装置１における遊びをより楽しいものにすることができる。また、当該遊戯装置１の周りにいる子供達に対しては、動物がこの遊戯装置１で遊んでいるように思わせたり、動物と遊戯者Ｙが一緒になって遊んでいるように思わせることができるので、当該子供達の興味をより強く引くことができる。
【００３２】
斯くして、本例の遊戯装置１によれば、遊戯機構２０で遊ぶ遊戯者Ｙ自身の動作と床部材１０の傾斜に伴う遊戯機構２０自体の動作とが複合して、遊戯者Ｙは、従来にない、変化に富んだ遊びや感覚を楽しむことができる。また、この遊戯装置１の周りにいる子供達の興味を強く引いてこれで遊ばせるようにすることもできる。また、カバーシート１２により遊戯者Ｙや当該遊戯装置１の周りにいる子供達が怪我するのを防止することができる。
【００３３】
以上、本発明の一実施形態について説明したが、本発明の採り得る具体的な態様は、何らこれに限定されるものではない。
【００３４】
例えば、上記遊戯機構２０に代えて、図６や図７に示すような遊戯機構６０，６２を床部材１０上に設けるようにしても良い。図６に示した遊戯機構６０は、いわゆるジャングルジムと呼ばれるものであり、棒状の部材６１を格子状に組んで構成され、遊戯者Ｙは、当該棒状部材６１を伝って横に移動したり、上り下りをして遊ぶ。
【００３５】
一方、図７に示した遊戯機構６２は、円柱状の支持台６３と、下端部が支持台６３によって水平回転自在に支持された円柱状の支柱６４と、円弧状に形成された部材からなり、支柱６４の円周方向等間隔で配置されて、一方の端部が支柱６４の上部外周面に接続し、他方の端部が支柱６４の下部外周面に接続した複数の第１フレーム６５と、各第１フレーム６５に水平面内で接続するように円形に形成され、高さ位置がそれぞれ異なって設けられる複数の第２フレーム６６と、各第１フレーム６５によって形成される球状の空間内の下側に配置され、支柱６４の下部外周面に固設された環状部材６７とを備えている。
【００３６】
そして、この遊戯機構６２では、遊戯者Ｙ自身が、支柱６４，第１フレーム６５，第２フレーム６６及び環状部材６７からなる構造体を水平回転させた後、或いは、複数の遊戯者Ｙの内の一人が前記構造体を水平回転させた状態で、遊戯者Ｙは、環状部材６７上に乗ったり、第１フレーム６５や第２フレーム６６を伝って横に移動したり、上り下りをして遊び、更に、前記構造体が回転するときの感覚も楽しむことができる。
【００３７】
このように遊戯機構６０，６２を構成しても、上記遊戯機構２０と同様に、遊戯者Ｙ自身の動作と遊戯機構６０，６２自体の動作とが複合して、遊戯者Ｙは、従来にない、変化に富んだ遊びや感覚を楽しむことができる。
【００３８】
また、これらの遊戯機構６０，６２の他、シーソー，滑り台及びブランコといった各種の遊戯具から遊戯機構を構成するようにしても良い。また、床部材１０の形状も円形ではなく、矩形形状や長円形などとしても良い。
【００３９】
また、上例では、床部材１０をあらゆる方向に傾斜させるように構成したが、これに限られるものではなく、図８に示すように、１つの水平軸回りにのみ傾斜，揺動させるようにしても良い。
【００４０】
この場合、前記傾斜装置３０に代えて傾斜装置１５が設けられ、この傾斜装置１５は、基台１１の中心部上面に立設された第１支持部材１６と、フレーム３１の中心部下面に配設され、第１支持部材１６によって水平軸回りに（図８における矢示方向に）回転自在に支持される第２支持部材１７と、基台１１上に配設された、油圧シリンダや空圧シリンダなどからなる駆動シリンダ１８と、フレーム３１の下面に設けられ、駆動シリンダ１８の昇降ロッド１８ａ先端に係合する係合部材１９とからなる。
【００４１】
この傾斜装置１５によれば、駆動シリンダ１８が作動して昇降ロッド１８ａが上下動し、これによって係合部材１９が上下動すると、フレーム３１、即ち、床部材１０が第１支持部材１６による第２支持部材１７の支持位置を中心にして矢示方向に傾斜，揺動する。
【００４２】
また、上例では、床部材１０の駆動に、精密制御可能なサーボモータ４６，５１を用いたが、これに限られるものではなく、通常の電動モータや油圧モータを用いても何ら差し支えない。但し、複数のモータを用いて床部材１０の傾斜角や傾斜方向を高度に制御する場合には、サーボモータやステッピングモータを用いるのが好ましい。
【００４３】
また、三つ以上の昇降機構を用いて床部材１０を支持する場合には、これを適宜配置することで、当該床部材１０を安定して支持することができ、当該昇降機構を床部材１０を支持する支持機構、及び床部材１０を駆動する駆動機構として機能させることができるので、上述した支持機構３２を特に設けるには及ばない。
【００４４】
また、上述した昇降機構４５，５０は、床部材１０を昇降させることができる構成のものであれば、上記の構成に何ら限定されるものではない。例えば、その他の例として、図９及び図１１に示す構成を例示することができる。
【００４５】
図９に示した昇降機構７０は、上下に並設された平板７１，７２と、平板７１，７２間に設けられた引張コイルバネ７４及びエアバッグ７３と、平板７１に形成された流路７１ａ及びこの流路７１ａに接続した配管７９を介してエアバッグ７３内に圧縮空気を供給するコンプレッサ７８と、配管７９に介在せしめられた切換弁７５及び流量調整弁７６と、切換弁７５の排気側に設けられた流量調整弁７７とからなる。
【００４６】
尚、引張コイルバネ７４及びエアバッグ７３の下端部は共に平板７１の上面に係着され、その上端部は共に平板７２の下面に係着されている。また、切換弁７５及び流量調整弁７６，７７は制御装置８０によってその作動が制御される。また、エアバッグ７３は弾性部材を袋状に形成して構成される。また、この昇降機構７０は、図１０に示すように、例えば、その三つが床部材１０の下方に適宜間隔で配設されて、平板７２が床部材１０の下面に係着され、平板７１が基台１１の上面に係着される。
【００４７】
この昇降機構７０によれば、切換弁７５が給気状態になっている場合、配管７９，流量調整弁７６，切換弁７５及び流路７１ａを介してコンプレッサ７８からエアバッグ７３に圧縮空気が供給され、これにより、当該エアバッグ７３が引張コイルバネ７４の収縮力に抗して膨張し、図９において二点鎖線で示すように、床部材１０を上方に押し上げる。即ち、その支持位置を上昇させる。
【００４８】
そして、制御装置８０によって切換弁７５が排気状態に切り換えられると、コンプレッサ７７からの圧縮空気の供給が当該切換弁７５によって遮断される一方、エアバッグ７３は引張コイルバネ７４の収縮力によって平板７１，７２間で押圧され、その内部の気体が前記流路７１ａ，切換弁７５及び流量調整弁７７を介して外部に排気される。これにより、当該エアバッグ７３が収縮して、床部材１０が下方に移動する。即ち、その支持位置が降下する。
【００４９】
尚、エアバッグ７３が膨張して床部材１０を上方に押し上げる速度、及びエアバッグ７３が収縮して床部材１０が下方に移動する速度は、制御装置８０による制御の下、それぞれ流量調整弁７６，７７によって制御される。
【００５０】
斯くして、各昇降機構７０は、制御装置８０により、床部材１０を支持する上下方向の支持位置がそれぞれ制御されて当該支持位置が上下動し、これによって、床部材１０はその傾斜方向や傾斜角が変化する。
【００５１】
また、図１１に示した昇降機構８５は、前記引張コイルバネ７４及び平板７１を省き、配管７９を直接エアバッグ７３に接続した点が前記昇降機構７０と異なり、他の構成は前記昇降機構７０と同じである。
【００５２】
この昇降機構８５では、切換弁７５が給気状態になっている場合、上記昇降機構７０の場合と同様にして、配管７９，流量調整弁７６及び切換弁７５を介してコンプレッサ７８からエアバッグ７３に圧縮空気が供給され、これにより、当該エアバッグ７３が膨張して、図１１において二点鎖線で示すように、床部材１０を上方に押し上げる。
【００５３】
そして、制御装置８０によって切換弁７５が排気状態に切り換えられると、コンプレッサ７７からの圧縮空気の供給が当該切換弁７５によって遮断される一方、エアバッグ７３は床部材１０の自重やその上の遊戯者Ｙの体重によって押圧され、その内部の気体が切換弁７５及び流量調整弁７７を介して外部に排気される。これにより、当該エアバッグ７３が収縮して、床部材１０が下方に移動する。
【００５４】
また、上例では、床部材１０を水平面に対して傾斜させるように構成したが、この他、床部材１０を変位可能に適宜支持して、適宜駆動機構により、例えば、床部材１０全体を上下動させたり、床部材１０を水平回転させたり、床部材１０を水平移動させるなどして、遊戯者Ｙに床部材１０が変位したときの感覚を楽しませつつ、遊戯機構２０，６０，６２における遊びを楽しませるようにしても良い。
【００５５】
また、カバーシート１２は、床部材１０の傾斜を許容することができるとともに、ブロワ１３によって高められた空気圧力によって外方に膨らむことができれば、伸縮性を備えた部材や、通気性を備えた部材から構成しても良い。
【００５６】
また、前記ブロワ１３は、カバーシート１２の外部に設けるようにしたが、基台１１上の閉塞空間Ｋ内に設けるようにしても良く、このようにすれば、遊戯装置１の装置構成をコンパクトにすることができる。尚、この場合、カバーシート１２に適宜吸込口を形成して、この吸込口から外部の空気を吸い込むようにブロワ１３を構成する。
【００５７】
また、上例では、床部材１０と基台１１との間の空間をカバーシート１２によって閉塞するように構成したが、これに限られるものではなく、図１２に示すように、環状に形成された閉塞部材９０の環内に、床部材１０，基台１１及び傾斜装置３０を収容し、この閉塞部材９０の内周面と床部材１０の外周面との間に形成された隙間をカバーシート９１により閉塞するように構成しても良い。
【００５８】
前記カバーシート９１は、前記閉塞部材９０と同様、環状に形成され、外周部側の下面が閉塞部材９０の上面に取り付けられ、内周部側の端部が床部材１０の外周面に取り付けられており、床部材１０の傾斜を許容すべく、ある程度の弛みを持った状態に構成されている。
【００５９】
尚、閉塞部材９０及びカバーシート９１の形状は、床部材１０の形状に応じて適宜変更され、例えば、床部材１０を矩形形状に形成した場合には、当該閉塞部材９０及びカバーシート９１は四角い枠状に形成すると良い。
【００６０】
このようにしても、カバーシート１２のときと同様、遊戯者Ｙや、遊戯装置の周りにいる子供達が、床部材１０と基台１１との間の隙間に入ったり、手や足を入れるのを防止するとともに、傾斜装置３０に触るのを防止して、怪我をするのを効果的に防止することができる。また、遊戯者Ｙの手や足が、床部材１０と閉塞部材９０との間の隙間に入って怪我をするのも効果的に防止することができる。
【産業上の利用可能性】
【００６１】
以上のように、本発明は、遊園地や公園の他、デパートやスーパーマーケットなどのショッピング施設の遊戯コーナ等に設置する遊戯装置に好適に適用することができる。
【図面の簡単な説明】
【００６２】
【図１】本発明の一実施形態に係る遊戯装置の概略構成を示した斜視図である。
【図２】図１に示した遊戯装置の一部の正断面図である。
【図３】本実施形態に係る傾斜装置などの概略構成を示した平面図である。
【図４】図３における矢示Ａ−Ａ方向の断面図である。
【図５】図３における矢示Ｂ−Ｂ方向の断面図である。
【図６】本発明の他の実施形態に係る遊戯機構の概略構成を示した斜視図である。
【図７】本発明の他の実施形態に係る遊戯機構の概略構成を示した斜視図である。
【図８】本発明の他の実施形態に係る傾斜装置などの概略構成を示した平面図である。
【図９】本発明の他の実施形態に係る昇降機構などの概略構成を一部ブロック図で示した正面図である。
【図１０】本発明の他の実施形態に係る昇降機構の配置例を示した平面図である。
【図１１】本発明の他の実施形態に係る昇降機構などの概略構成を一部ブロック図で示した正面図である。
【図１２】本発明の他の実施形態に係る遊戯装置の一部の概略構成を示した正断面図である。
【符号の説明】
【００６３】
１    遊戯装置
１０  床部材
１１  基台
１２  カバーシート
１３  ブロワ
２０  遊戯機構
２１  第１支柱
２２  第２支柱
２３  第１水平部材
２４  第２水平部材
２５  第１部材
２６  第２部材
２７  ぬいぐるみ
２８  球体
３０  傾斜装置
３１  フレーム
３２  支持機構
４５  第１昇降機構
５０  第２昇降機構
５５  制御装置
Ｋ    閉塞空間
Ｙ    遊戯者
【国際調査報告】
2006025108.tif 000014
2006025108.tif 000015
2006025108.tif 000016